(57)【要約】【課題】お茶入れの手間がかからず、お茶が注ぎ口以外から溢れることがない急須を提供する。【解決手段】  本考案の急須は、蓋体を備えておらず、注ぎ口３と把手４を備え上方が開口された略椀状の急須本体２と、お茶を注ぐ際に上部から溢れることを防止するため注ぎ口３側に固設した上堰５と、から構成されている。  注ぎ口３は、急須本体の上部の一部を略Ｖ字状に突出させて形成し、茶こし部材は急須本体２の内面から上堰５へ渡って設けている。【選択図】  図１
0003107903.tif 000002
【実用新案登録請求の範囲】
【請求項１】
注ぎ口と把手を備え上方が開口された略椀状の急須本体と、お茶を注ぐ際に上部から溢れることを防止するため注ぎ口側に固設した上堰と、からなることを特徴とする急須。
【請求項２】
前記急須本体の注ぎ口の根元には茶こし部材を設けたことを特徴とする実用新案登録請求の範囲１記載の急須。
【請求項３】
前記注ぎ口は前記急須本体の上部の一部を略Ｖ字状に突出させて形成し、前記茶こし部材は前記急須本体の内面から上堰へ渡って設けたことを特徴とする実用新案登録請求の範囲２記載の急須。
【請求項４】
前記茶こし部材はステンレス製の網状のものとし、前記茶こし部材を係止するための係止部材を前記急須本体の内側に設けたことを特徴とする実用新案登録請求の範囲２または実用新案登録請求の範囲３記載の急須。
【考案の詳細な説明】
【技術分野】
【０００１】
本考案は、主として日本茶に使用される急須に関するものである。
【背景技術】
【０００２】
急須は、通常、陶器または磁器で造られ、図３に示すように、椀状の急須本体１１と、蓋体１２とから構成されている。急須本体１１には、先細に形成された筒状の注ぎ口１３と、注ぎ口１３の直角方向に把手１４が固設されており、また、図示してないが、急須本体１１内の注ぎ口１３の根元には多孔を形成した茶こし部材が設けられている。
【０００３】
お茶を入れるときは、まず、急須本体１１の蓋体１２を外し、茶葉を入れてお湯を入れ、蓋体１２を被せて少し時間を置いてから、把手１４を持って急須１０の注ぎ口１３を茶碗へ向け、急須１０を傾けながらお茶を注いでいる。
美味しいお茶を入れるには、茶葉の量やお湯の温度、湯冷の使用、茶葉をお湯に浸す時間などを茶葉によって適宜なものとする必要があり、経験を必要とする。
【０００４】
ところで、お茶を注ぐ際に、お茶が急須本体１１と蓋体１２との隙間から溢れることが多い。この要因は、急須１０を傾けた際にお茶とともに茶葉が茶こし部材へ移動して茶こし部材の多孔を塞いでしまうことによる。
【０００５】
そこで、急須を傾けても、茶こし部材に茶葉が接触することを阻止して、蓋体１２との隙間からのお茶の溢れを防止したものがある（例えば、特許文献１参照。）。
この急須は、図４に示すように、急須本体１１内の茶こし部材１５寄りの底部に、多孔の補助板１６を立設したもので、茶葉は補助板１６の後ろ側（注ぎ口と反対側）へ入れて使用する。したがって、急須を傾けても茶葉は補助板１６によって茶こし部材１５への移動が阻止され、茶こし部材１５の多孔を塞ぐことがないので、注ぎ口１３からお茶がスムーズに流出され、蓋体１２との隙間から溢れることを防止できる。
【０００６】
なお、注ぎ口の根元に茶こし部材を設けずに、蓋体の下方に円筒状のステンレス網の茶葉受けを配置した急須が知られており、この形式のものは茶こし部分の面積が大きいので注ぎ口からお茶がスムーズに流出される。しかし、お湯が茶葉を通過するだけなので、美味しいお茶を得ることができないという欠点がある。
【０００７】
一方、急須の構造上、これを洗うときに注ぎ口１３内面や茶こし部材の注ぎ口側面に手が届かず十分に洗浄ができないという問題もある。
【０００８】
【特許文献１】特開２００４−１１３５４３号  公報。
【考案の開示】
【考案が解決しようとする課題】
【０００９】
従来の急須は、上記説明したように、急須本体と蓋体とから構成されているので、お茶を入れる場合には蓋体の脱着作業が伴う。そして、お茶を注ぐときに蓋体との隙間から溢れるという問題がある。また、お茶が少なくなり急須を傾ける角度が大きくなると、蓋体が脱落してしまうので、蓋体を手で押さえながら注がねばならない。
さらには、従来の急須は、構造上注ぎ口内や茶こし部材を十分に洗うことができないという問題がある。
【００１０】
なお、特許文献１のように急須本体内に補助板１６を立設すれば、茶こし部材１５が茶葉で塞がれることはなく、お茶を注ぐときに蓋体との隙間から溢れることを防止できるが、補助板１６の取り付けが簡単ではなく高価なものになり、また、使用後急須を洗うときに邪魔になるという難点がある。
【００１１】
そこで、本考案は、お茶入れの手間がかからず、お茶が注ぎ口以外から溢れることがない急須を提供することを目的としている。また、容易にきれいに洗うことができる急須を提供することを目的としている。
【課題を解決するための手段】
【００１２】
本考案の急須は、上記の目的を達成するため次の手段を採った。すなわち、注ぎ口と把手を備え上方が開口された略椀状の急須本体と、お茶を注ぐ際に上部から溢れることを防止するため注ぎ口側に固設した上堰と、からなることを特徴としている。
本考案の急須は従来のように蓋体を備えてはいない。急須本体は上方が開口され、注ぎ口側に開口部の一部を覆うように上堰が固設されている。
この上堰はお茶を注ぐために急須を傾けたときに、お茶が上方の開口部から溢れるのを防止するためのものであり、とくにその形状は問わないが、上方へ円弧にしたアーチ状など、美観上の観点から決めるとよい。なお、上堰は急須の材質と同じくするのがよい。
【００１３】
把手は注ぎ口に対して直角方向にテーパ棒状のものを突設するのが一般的であるが、耳状のものを急須本体の後方に設けて（一般に後手と称している）もよい。
注ぎ口は、従来のように先細に形成された筒状のものでもよいが、請求項３に示すように、急須本体の上部周の一部を略Ｖ字状にして突出させるのが望ましい。なお、略Ｖ字状とは、Ｕ字状も含むことを意味している。
【００１４】
茶こし部材は、ティーパックのように茶葉を包んだものを使用する場合は特に必要としないが、主として茶葉を直接入れて使用するものでは請求項２に示すように注ぎ口の根元に設ける。なお、注ぎ口を略Ｖ字状にして突出させた（請求項３）場合は、茶こし部材を、急須本体の内面から上堰へ渡るように設ける。この場合、多孔の面積をできるだけ大きくするのがよい。
【００１５】
また、茶こし部材は請求項４に示すように、ステンレス製の網状のものとし、茶こし部材を係止するための係止部材を急須本体の内側に設け、脱着可能としてもよい。この場合、茶こし部材は上堰および急須内壁に沿って密着して係止させる。なお、係止部材は茶こし部材の下端や上下端、または、両側端に設ければよい。
【考案の効果】
【００１６】
本考案の急須は、上記のように、注ぎ口と把手を備え上方が開口された略椀状の急須本体と、お茶を注ぐ際に上部から溢れることを防止するため注ぎ口側に固設した上堰とから構成され、蓋体がないので、お茶入れが簡素なものとなる。即ち、蓋体の脱着やお茶を茶碗に注ぐときに蓋体を押さえる必要がなく、上堰によって急須をかなり傾けても溢れることがなく、お湯の上端が上堰のどの位置にあるか一目で確認できるので、従来のように、蓋体との隙間から溢れさせてしまうことがない。
また、上方が開放されているので、お湯を入れたとき、時間の経過にともなって、茶葉の広がりの状態がよくわかり、また、適宜な温度に調整し易く、美味しいお茶を入れることができる。
【００１７】
また、請求項３に示すように、注ぎ口は急須本体の上部の一部を略Ｖ字状に突出させて形成し、茶こし部材は急須本体の内面から上堰へ渡って設ければ、簡素で造り易くなるとともに、注ぎ口の根元に設けた茶こしの前面側（注ぎ口側）が開放されるので、洗うときに手の届かないところがなく容易に十分な洗浄ができる。
【００１８】
また、請求項４に示すように、茶こし部材はステンレス製の網状のものとし、茶こし部材を係止するための係止部材を急須本体の内側に設ければ、茶こし部材を取り外すことができ、より洗うのが簡便となるばかりでなく、適宜お茶に合ったメッシュのものに交換することもできる。
【考案を実施するための最良の形態】
【００１９】
本考案の実施の形態を、添付図面に示した本考案の実施例に基づいて以下に具体的に説明する。
【実施例】
【００２０】
本考案の急須の実施例について図１および図２に基づいて説明する。
急須１は、上方が開口され略椀状の容器である急須本体２に、把手４が突設され、急須本体２の上端の一部には、注ぎ口３が設けられている。そして、急須本体２の上部の注ぎ口３側には上堰５が固設されている。また、注ぎ口３の根元付近には茶こし部材６が固設されている。
【００２１】
この注ぎ口３は、急須本体２の上端の一部を略Ｖ字状にして突出させて形成されており、把手４とは９０度の方向に設けられている。
また、上堰５は、急須本体２の上端から上方へ円弧（アーチ状）に設けられており、急須本体２から上堰５への内周面は連続した円弧状としている。なお、上堰５の大きさは、この急須では、急須本体２の上部開口のほぼ１／４程度としている。
また、上堰５の注ぎ口３の近傍には切欠き５ａが形成され、注ぎ口３をより大きく形成している。
茶こし部材６は、薄い平たい陶板で造られ、注ぎ口３の開口面積より相当大きく（望ましくは３倍以上）、急須本体１の内面から上堰５に渡って急須本体１内方へ凸状に張り出した形状としている。
【００２２】
次に、このように構成された急須の使用方法について説明する。
まず、急須本体２の中に茶葉を入れ、その後に、湯を入れる。そして、茶葉が十分に広がるのを待って、把手４を持ってお茶を茶碗へ注ぐ。この際、お茶は上堰５によって上面から溢れるのが防止され、茶こし部材６の多孔を通って注ぎ口３から注がれる。
また、急須を洗う際には、注ぎ口３や茶こし部材６の前面（注ぎ口３側）にも容易に手が届くので、汚れが残ることがなく十分洗浄できる。
【００２３】
次に、脱着可能な茶こし部材を使用した場合の考案（請求項４）の実施例について図２に基づいて説明する。
急須１の構成である把手４、注ぎ口３は上記の実施の形態と同じであり、急須本体２には、注ぎ口３の下方に係止部材８が固設されている。そして、ステンレス製の網状の茶こし部材７の下端を係止部材８に係止させ、上方側は上堰５の裏面に接触保持させている。なお、この係止部材８はここでは円板状のものとしている。
【図面の簡単な説明】
【００２４】
【図１】本考案の実施例である急須の全体を示す斜視図である。
【図２】同  脱着可能な茶こし部材が装着された状態を示す説明図である。
【図３】従来の急須の一例を示す斜視図である。
【図４】同  補助板を設けた急須を示す断面側面図である。
【符号の説明】
【００２５】
１…急須
２…急須本体
３…注ぎ口 
４…把手
５…上堰
５ａ…切欠き
６…茶こし部材
７…茶こし部材
８…係止部材
１０…急須
１１…急須本体
１２…蓋体
１３…注ぎ口
１４…把手
１５…茶こし部材
１６…補助板
【図１】
0003107903.tif 000003
【図２】
0003107903.tif 000004
【図３】
0003107903.tif 000005
【図４】
0003107903.tif 000006